(57)【要約】【課題】建物全体の傾きを抑制するとともに建物への地震動の伝達を抑制して耐震性能を向上させることができる基礎構造及び基礎の構築方法を提供する。【解決手段】基礎構造は、建物１の上部構造２と連結される基礎本体３と、基礎本体３と地盤Ｇとの間に設けられる透水層４と、透水層４から下方の地盤Ｇ中に貫入して延びる複数の杭体５と、杭体５を基礎本体３に連結する連結手段６と、を備え、杭体５は、その外面を形成するとともに透水性を有した袋５Ａと、袋５Ａの内部に詰められた粒状物５Ｂと、杭体５の所定高さ位置にて袋５Ａの外周を囲んで拘束するリング部材５１と、を備えて構成されている。【選択図】図４
2014077307.tif 000002
【特許請求の範囲】
【請求項１】
建物の上部構造と連結される基礎本体と、
前記基礎本体と地盤との間に設けられる透水層と、
前記透水層から下方の地盤中に貫入して延びる複数の杭体と、
前記杭体を前記基礎本体に連結する連結手段と、を備え、
前記杭体は、該杭体の外面を形成するとともに透水性を有した袋と、該袋の内部に詰められた粒状物と、該杭体の所定高さ位置にて前記袋の外周を囲んで拘束するリング部材と、を備えて構成されていることを特徴とする基礎構造。
【請求項２】
前記連結手段は、前記杭体の内部を上下方向に貫いて設けられる芯材と、該芯材の先端部を前記杭体の先端部に定着する先端定着材と、前記芯材の上端部を前記基礎本体に定着する上端定着材と、を有して構成されていることを特徴とする請求項１に記載の基礎構造。
【請求項３】
前記杭体の上端部が前記透水層に所定長さだけ貫入され、この杭体の貫入部と前記透水層との間に弾性部材が設けられていることを特徴とする請求項１又は２に記載の基礎構造。
【請求項４】
前記基礎本体の下面と前記杭体の上端部とが所定距離だけ離隔して設けられ、該離隔部分の高さ範囲において、他の高さ範囲よりも前記透水層の剛性が小さく設定されていることを特徴とする請求項１〜３のいずれか一項に記載の基礎構造。
【請求項５】
前記透水層は、複数の土嚢材を積層して構成され、
前記土嚢材は、透水性を有した所定寸法の土嚢袋に粒状物を詰めて構成されていることを特徴とする請求項１〜４のいずれか一項に記載の基礎構造。
【請求項６】
請求項１〜５のいずれか一項に記載の基礎構造に係る基礎の構築方法であって、
前記杭体の寸法に応じて地盤を掘削し、掘削した掘削孔に前記連結手段を装着した前記杭体の袋をセットし、セットした袋に前記粒状物を所定量ごとに投入して締め固めるとともに、締め固めた前記粒状物の上部位置における前記袋の外側に前記リング部材を装着し、これらの粒状物の投入、該粒状物の締め固め、及びリング部材の装着を繰り返し、前記粒状物を所定高さ位置まで前記袋に詰めて前記杭体を構築し、
前記構築した杭体の上部に前記透水層を形成してから、該透水層の上側に前記基礎本体を構築し、該基礎本体に前記連結手段を介して前記杭体を連結することを特徴とする基礎の構築方法。
【発明の詳細な説明】
【技術分野】
【０００１】
本発明は、基礎構造及び基礎の構築方法に係り、特に、建物の上部構造と連結される基礎本体と、下方の地盤内に延びて設けられる杭体と、を備えた基礎構造、その基礎構造に係る基礎の構築方法に関するものである。
【背景技術】
【０００２】
従来、建物として比較的小規模な戸建住宅の基礎としては、べた基礎や布基礎、独立基礎など、地盤上に直接載置される直接基礎が一般的であった。このような直接基礎の場合、その載置される地盤が軟弱地盤であったり地震時に液状化を起こす可能性がある地盤であったりすると、地盤そのものが支持力を失い、基礎及び建物が傾斜してしまうことがある。このように基礎を含めた建物全体が傾斜してしまうと、その補修が大掛かりになって補修費用も多大となるため、軟弱地盤や液状化地盤にも対応可能な基礎構造が提案されている（例えば、特許文献１、２参照）。
【０００３】
特許文献１に記載の基礎構造は、建物（構造物）の底版から地盤中に貫入させた支持体（杭部）と、この支持体に設けられた浮力体と、支持体に連結されて支持層に設けられたアンカー体と、を備える。この基礎構造は、地盤が液状化して支持力が低下し、過剰間隙水圧により地下水が上昇した場合でも、この地下水による浮力を浮力体に作用させて支持力を得るとともに、アンカー体によって建物の傾きを防止しようとする技術である。
【０００４】
特許文献２に記載の基礎構造は、建物を支持する基礎と、この基礎の側面を囲んで地盤に貫入された矢板と、基礎の下側かつ矢板で囲まれた領域に設けられる軽量材と、を備える。この基礎構造は、地盤が液状化して支持力が低下した場合に、基礎と矢板を一体的に挙動させることで、基礎及び建物の傾きを抑制し、地下水が上昇した場合にも、軽量材を介して地下水の浮力を基礎に作用させることで、支持力を確保しようとする技術である。
【先行技術文献】
【特許文献】
【０００５】
【特許文献１】特開平６−２４０６９４号公報
【特許文献２】特開２００８−１０１３７９号公報
【発明の概要】
【発明が解決しようとする課題】
【０００６】
しかしながら、特許文献１に記載された基礎構造のように、地盤中に浮力体とアンカー体とを構築するためには、その施工が非常に大掛かりになってしまい、コスト増加が避けられず、比較的小規模な戸建住宅への適用が困難である。また、特許文献２に記載された基礎構造のように、基礎を矢板で囲むとともに、その囲まれた領域に軽量材を設けると、地下水が常に滞留することとなって、滞留した地下水が腐敗あるいは劣化することがある。また、地盤が液状化した際の地下水の浮力や、地下水と砂質土とが混濁した流動体の浮力は、力学的に安定したものではないため、浮力体や基礎底面に作用する浮力が一定せず、かつ建物の平面的な位置によっても浮力が異なるために、建物全体の傾きを効果的に抑制することが困難である。
【０００７】
したがって、本発明は、建物全体の傾きを抑制するとともに建物への地震動の伝達を抑制して耐震性能を向上させることができる基礎構造及び基礎の構築方法を提供することを目的とする。
【課題を解決するための手段】
【０００８】
上記目的を達成するために請求項１に記載の基礎構造は、建物の上部構造と連結される基礎本体と、前記基礎本体と地盤との間に設けられる透水層と、前記透水層から下方の地盤中に貫入して延びる複数の杭体と、前記杭体を前記基礎本体に連結する連結手段と、を備え、前記杭体は、該杭体の外面を形成するとともに透水性を有した袋と、該袋の内部に詰められた粒状物と、該杭体の所定高さ位置にて前記袋の外周を囲んで拘束するリング部材と、を備えて構成されていることを特徴とする。
【０００９】
請求項２に記載の基礎構造は、請求項１に記載された基礎構造において、前記連結手段は、前記杭体の内部を上下方向に貫いて設けられる芯材と、該芯材の先端部を前記杭体の先端部に定着する先端定着材と、前記芯材の上端部を前記基礎本体に定着する上端定着材と、を有して構成されていることを特徴とする。
【００１０】
請求項３に記載の基礎構造は、請求項１又は２に記載された基礎構造において、前記杭体の上端部が前記透水層に所定長さだけ貫入され、この杭体の貫入部と前記透水層との間に弾性部材が設けられていることを特徴とする。
【００１１】
請求項４に記載の基礎構造は、請求項１〜３のいずれか一項に記載された基礎構造において、前記基礎本体の下面と前記杭体の上端部とが所定距離だけ離隔して設けられ、該離隔部分の高さ範囲において、他の高さ範囲よりも前記透水層の剛性が小さく設定されていることを特徴とする。
【００１２】
請求項５に記載の基礎構造は、請求項１〜４のいずれか一項に記載された基礎構造において、前記透水層は、複数の土嚢材を積層して構成され、前記土嚢材は、透水性を有した所定寸法の土嚢袋に粒状物を詰めて構成されていることを特徴とする。
【００１３】
請求項６に記載の基礎の構築方法は、請求項１〜５のいずれか一項に記載の基礎構造に係る基礎の構築方法であって、前記杭体の寸法に応じて地盤を掘削し、掘削した掘削孔に前記連結手段を装着した前記杭体の袋をセットし、セットした袋に前記粒状物を所定量ごとに投入して締め固めるとともに、締め固めた前記粒状物の上部位置における前記袋の外側に前記リング部材を装着し、これらの粒状物の投入、該粒状物の締め固め、及びリング部材の装着を繰り返し、前記粒状物を所定高さ位置まで前記袋に詰めて前記杭体を構築し、前記構築した杭体の上部に前記透水層を形成してから、該透水層の上側に前記基礎本体を構築し、該基礎本体に前記連結手段を介して前記杭体を連結することを特徴とする。
【発明の効果】
【００１４】
以上の本発明によれば、基礎本体と地盤との間に透水層を設け、この透水層から下方の地盤中に延びる複数の杭体を設けるとともに、透水性を有した袋とその内部に詰めた粒状物とで杭体を構成したことで、地震時に地盤が液状化した場合であっても、液状化による過剰間隙水圧で発生した地下水を杭体及び透水層を介して地上へ排水することができる。従って、地下水による過大な浮力が基礎本体に作用することを防止して、不均一な浮力による建物の傾きを抑制することができるとともに、地盤中に地下水が滞留することがなく、その腐敗や劣化を防止することができる。さらに、袋の内部に粒状物を詰めて杭体が構築できるので、鉄筋コンクリート製の杭（場所打ち杭やＰＣ杭）あるいは鋼管杭などと比較して、安価かつ容易な施工手順で杭体を構築することができる。
【００１５】
また、袋の内部に粒状物を詰めて杭体が構成されていることから、粒状物間の接触（当接）や摩擦によって建物の鉛直荷重を支持することができるとともに、地震時に液状化して軟弱化した地盤に過大なせん断変位が生じた場合であっても、袋で周囲を拘束された粒状物が地盤の変位に追従することができ、杭体の破損を防止することができる。また、袋の外周からリング部材によって杭体が拘束されているので、袋による粒状物の拘束力を高めることで、変形追従性を確保しつつ過度な杭体の変形を抑制することができ、鉛直支持力を確保して建物の傾きを防止することができる。なお、袋に詰める粒状物としては、土や砂、砕石等に限らず、ガラス片や樹脂片等であってもよく、化学変化や継時変化が少ない素材であって耐荷重性に優れたものが好ましい。
【００１６】
さらに、杭体が連結手段によって基礎本体に連結されるので、建物及び基礎に作用する上向きの荷重（例えば、台風や竜巻等による吹き上げ力、過剰間隙水圧による浮力）に対し、杭体の引き抜き抵抗力によって基礎の浮き上がりや転倒を防止することができる。この際、連結手段が芯材と先端定着材と上端定着材とを有し、芯材の先端部を先端定着材によって杭体の先端部に定着するとともに、芯材の上端部を上端定着材によって基礎本体に定着することで、杭体全体と基礎本体とを一体に連結することができ、杭体の重量を引き抜き抵抗力として有効に利用することができる。
【００１７】
また、杭体の上端部が透水層に所定長さだけ貫入され、この杭体の貫入部と透水層との間に弾性部材が設けられていれば、地震時に建物の上部構造及び基礎本体が左右に変位した場合に、基礎本体と連結手段で連結された杭体と透水層との間に生じる相対変位を弾性部材によって吸収することができる。このように地盤と一体的に変位する透水層と、上部構造、基礎本体及び杭体と、の相対変位が弾性部材によって吸収されることで、地震時の地盤変位が建物に伝達されにくくすることができ、免震効果が得られて建物の耐震性能を向上させることができる。さらに、地盤から伝達される交通振動を遮断することもでき、建物の居住性を向上させることができる。
【００１８】
また、基礎本体の下面と杭体の上端部との離隔部分の高さ範囲において、透水層の剛性が他の高さ範囲よりも小さく設定されていれば、この剛性の小さな離隔部分の透水層によって免震効果（振動遮断性能）をさらに高めることができる。即ち、離隔部分の剛性の小さな透水層によって杭体と基礎本体とが隔離されるため、振動の伝達をより一層低減させることができる。
【００１９】
また、透水性を有した所定寸法の土嚢袋に粒状物を詰めて構成された複数の土嚢材を積層して透水層が構成されていれば、土嚢材同士の隙間が土砂で埋まったとしても、土嚢袋及び内部の粒状物による透水性が確保でき、地下水をより確実に排水することができる。また、粒状体同士のずれや土嚢材同士のずれによって地震動の伝達を抑制することができるので、免震効果をさらに向上させることができる。なお、土嚢袋に詰める粒状物としては、前記杭体の粒状物と同様に、土や砂、砕石等に限らず、ガラス片や樹脂片等であってもよく、化学変化や継時変化が少ない素材であって耐荷重性に優れたものが好ましい。また、杭体に用いる袋及び粒状物と土嚢材に用いる土嚢袋及び粒状物とは、それぞれ同一材料から構成されたものでもよいし、異種の材料から構成されたものでもよい。
【図面の簡単な説明】
【００２０】
【図１】本発明の一実施形態に係る建物の基礎構造を示す斜視図である。
【図２】前記建物の下部を示す縦断面図である。
【図３】前記建物の基礎部分を示す横断面図である。
【図４】前記基礎を拡大して示す断面図である。
【図５】前記建物の基礎を構築する構築手順を示す断面図である。
【図６】図５に続く前記基礎の構築手順を示す断面図である。
【図７】図６に続く前記基礎の構築手順を示す断面図である。
【図８】図７に続く前記基礎の構築手順を示す断面図である。
【発明を実施するための形態】
【００２１】
以下、本発明の一実施形態にかかる基礎構造を、図１〜図４に基づいて説明する。本実施形態に係る基礎構造は、建物１の上部構造としての建物本体２を支持するものであって、建物１は、戸建住宅やアパート等に利用されるものである。建物本体２は、木造や軽量鉄骨造などの比較的小規模かつ軽量な２〜３階建てであって、図３に示すように、水平二方向であるＸ，Ｙ方向に沿った矩形状かつ整形な平面形状を有している。建物１は、地盤Ｇ上に構築され、この地盤Ｇを地表ＧＬから鉛直方向であるＺ方向下方に掘削して、後述する基礎本体３、透水層４及び杭体５が構築される。
【００２２】
基礎本体３は、建物本体２の外周に沿って設けられる基礎立上り３１と、この基礎立上り３１の下端部と一体に連結されて水平面内に延びる基礎底版３２と、を有して構成されている。基礎底版３２と建物本体２の床及び梁との間には、設備配管等を配設するための基礎ピットが形成されている。このような基礎本体３の根入れ深さ、即ち地表ＧＬから基礎底版３２の下面までの距離は、例えば、４５０ｍｍ程度に設定され、基礎底版３２の厚さ寸法は、例えば、２００ｍｍ程度に設定されている。また、基礎底版３２の上面から基礎立上り３１の上端までの立上り寸法は、６００ｍｍ程度に設定され、この基礎立上り３１の上端に建物本体２の土台がアンカーボルト及び接合金物を介して連結されている。
【００２３】
透水層４は、複数の土嚢材４Ａを積層して構成されるものであって、土嚢材４Ａとしては、例えば、ポリエチレン製等の透水性を有した織布で構成された土嚢袋にガラス片やガラス粒等の粒状物を詰めたものが利用できる。このような土嚢材４Ａは、土嚢袋及び粒状物の両方が水を通すことから土嚢材４Ａ自体が透水性を有するとともに、積層した土嚢材４Ａ同士に適度な隙間が形成されることから、この隙間によっても透水性が得られるようになっている。土嚢材４Ａは、平面寸法が４００ｍｍｘ４００ｍｍ程度であり、厚さ寸法が７０ｍｍ又は１００ｍｍ程度のものであり、厚さ７０ｍｍの土嚢材４Ａが基礎底版３２の下面から二段積みされ、その下側に厚さ１００ｍｍの土嚢材４Ａが六段積みされることで、透水層４の層厚は７４０ｍｍ程度に設定されている。また、基礎本体３の外周に沿った範囲には、地表ＧＬ近傍まで土嚢材４Ａが積層され、地下水を地表ＧＬに排出できるようになっている。
【００２４】
杭体５は、透水層４の途中、具体的には、二段積みされた厚さ７０ｍｍの土嚢材４Ａの下側から、六段積みされた厚さ１００ｍｍの土嚢材４Ａ部分を貫通し、その下方の地盤Ｇ中に貫入して延び、例えば、杭長が６ｍに設定されている。また、杭体５は、基礎本体３の平面形状に応じた範囲内においてＸ，Ｙ方向に適宜な間隔で複数本が設けられており、具体的には、Ｘ方向に沿って４列、Ｙ方向に沿って３列の計１２本が設けられている。このような杭体５は、図４にも示すように、当該杭体５の外面を形成するとともに透水性を有した袋５Ａと、この袋５Ａの内部に詰められた粒状物５Ｂと、を備えて構成されている。袋５Ａは、例えば、ポリエチレン製等の透水性を有した織布で構成され、その直径が６００〜８００ｍｍ程度の長尺な有底筒状に形成され、粒状物５Ｂは、適宜な大きさを有したガラス片やガラス粒等で構成されている。従って、杭体５は、袋５Ａ及び粒状物５Ｂの両方が水を通すことから杭体５自体が透水性を有し、杭体５の上端部である杭頭と透水層４とが連続して設けられていることから、杭体５内部に透過させた水を透水層４から地表に排水できるように構成されている。なお、六段積みされた厚さ１００ｍｍの土嚢材４Ａに関しては、部分的に軽量コンクリートや発泡コンクリート等に置換し、これにより基礎全体の重量を調整し、地下水による浮力と建物１の重量とをバランスさせるようにしてもよい。
【００２５】
また、杭体５は、所定高さ位置にて袋５Ａの外周を囲んで拘束するリング部材５１を備えるとともに、連結手段６によって基礎本体３に連結されている。リング部材５１は、例えば、直径９ｍｍの鋼棒を円環状に曲げて先端を溶接して形成され、直径が４００ｍｍに設定されている。このリング部材５１は、杭体５の長さ方向に沿って所定間隔（例えば、１．２ｍ）ごとに設けられており、リング部材５１が設けられた位置において、杭体５の太さがリング部材５１の直径以下となるように、袋５Ａの拡がりを拘束するようになっている。一方、リング部材５１が設けられない位置において、杭体５は、内部に詰められて締め固められた粒状物５Ｂの圧力によって袋５Ａが拡がり、掘削孔の内面を押圧することで、杭体５周辺の地盤Ｇが締め固められるようになっている。
【００２６】
連結手段６は、杭体５の内部を上下方向に貫いて設けられる芯材６１と、この芯材６１の下端部（先端部）を杭体５の先端部である袋５Ａの底部に定着する先端定着材６２と、芯材６１の上端部を基礎本体３の基礎底版３２に定着する上端定着材６３と、を有して構成されている。芯材６１は、例えば、直径２５ｍｍの丸鋼からなり、その上下端部にナット６４が螺合するねじ山が形成され、杭体５の先端から基礎底版３２の上方に突出する長さ寸法を有した棒材である。なお、芯材６１としては、丸鋼に限らず、異形鉄筋でもよいし、形鋼でもよいし、さらにはワイヤケーブル等の緊張材であってもよい。先端定着材６２及び上端定着材６３は、それぞれ板厚１６ｍｍｘ直径３００ｍｍの円形鋼板からなり、中心に芯材６１を挿通させる挿通孔が形成されている。先端定着材６２は、芯材６１の下端部に螺合したナット６４によって杭体５の袋５Ａ底面に固定され、これにより芯材６１の下端部が杭体５の先端部に定着されている。上端定着材６３は、基礎本体３の基礎底版３２上面に沿って設けられ、芯材６１の上端部に螺合したナット６４によって固定され、これにより芯材６１の上端部が基礎底版３２に定着されている。
【００２７】
また、透水層４に貫入された杭体５の杭頭部（貫入部）と透水層４との間には、弾性部材７が設けられている。この弾性部材７は、例えば、円環状かつ中空のゴムチューブ又はゴムタイヤ等の弾性リング７１を三段に重ねるとともに、杭体５の杭頭部を囲んで構成され、杭体５の杭頭部と透水層４との水平方向の相対変位を吸収できるようになっている。即ち、地震によって地盤Ｇが水平方向に振動した際に、地動加速度と建物１からの慣性力とが互いに逆向きに透水層４に作用し、このせん断力によって積層した土嚢材４Ａ同士が左右にずれたり、各土嚢材４Ａ内部の粒状物同士がずれたりすることで、透水層４がせん断変形する。特に、基礎底版３２の下面と杭体５の上端との間に位置する二段積みされた厚さ７０ｍｍの土嚢材４Ａは、その内部の粒状物の密度が小さくかつ層厚が小さいことから、せん断剛性が小さく設定されているので、基礎底版３２と杭体５との間に大きなせん断変形が生じることとなる。このように透水層４がせん断変形することによって、地震動が建物１に直接伝達されず、建物１の揺れが低減され、免震効果が得られる。一方、透水層４のせん断変形によって建物１と地盤Ｇとの間、及び基礎本体３に連結手段６で連結された杭体５と地盤Ｇとの間に相対変位が生じることになるが、この相対変位を弾性部材７の弾性変形によって吸収できるようになっている。
【００２８】
以上のような基礎構造の施工手順について図５〜図７も参照して説明する。先ず、杭体５の施工位置及び杭長に応じて、図５（Ａ）に示すように、アースドリル等の掘削装置Ｍ１を用いて地表ＧＬから地盤Ｇを掘削し、例えば、内径が４５０ｍｍ程度の掘削孔Ｄを形成する。次に、図５（Ｂ）に示すように、地盤Ｇを掘削して根伐り底Ｄ１を露出させ、この根伐り底Ｄ１における掘削孔Ｄの上部の地表ＧＬにホッパー等の投入装置Ｍ２を設置する。さらに、袋５Ａの底部に先端定着材６２を介して芯材６１を取り付けた袋５Ａを投入装置Ｍ２にセットし、芯材６１を押し込むようにして袋５Ａを掘削孔Ｄに挿入する。
【００２９】
次に、図６（Ａ）に示すように、投入装置Ｍ２から粒状物５Ｂを袋５Ａ内部に投入し、これにより袋５Ａを掘削孔Ｄ内に拡げる。所定量の粒状物５Ｂを投入したらバイブレータ等の締固装置を袋５Ａ内部に挿入して粒状物５Ｂに振動を加えて締め固め、袋５Ａを拡げて掘削孔Ｄの内面を押圧して地盤Ｇを締め固める。これにより、杭体５の袋５Ａが粒状物５Ｂの圧力によって側方に拡がり、掘削孔Ｄの内面が押圧されて周辺の地盤Ｇが締め固められる。なお、構築する杭体５の形状に応じて、高さ方向に関して孔径を変化させて掘削孔Ｄを掘削しておいてもよい。次に、図６（Ｂ）に示すように、袋５Ａの外側にリング部材５１を通して落下させ、締め固めた粒状物５Ｂの上部にリング部材５１を位置させる。このように粒状物５Ｂの投入と締め固め、リング部材５１の設置を所定高さごとに繰り返し、透水層４の下面位置まで粒状物５Ｂを詰めて杭体５の大半の部分を構築する。
【００３０】
次に、図７（Ａ）に示すように、袋５Ａの上端部を通して弾性リング７１を重ね、弾性部材７を設置してから、弾性部材７の上端位置まで袋５Ａ内部に粒状物５Ｂを詰めたら、弾性部材７の上端位置で袋５Ａを切断し、切断した袋５Ａ’を除去するとともに、袋５Ａの上端縁を芯材６１に縛り付けて固定するか、又は弾性部材７に固定する。次に、図７（Ｂ）に示すように、弾性部材７の周囲を囲むように根伐り底Ｄ２の表面に厚さ１００ｍｍの土嚢材４Ａを並べて積層する。さらに、図８（Ａ）に示すように、厚さ７０ｍｍの土嚢材４Ａを並べて積層し、透水層４を形成する。この土嚢材４Ａの積層作業は、人手によって行ってもよいし、適宜な装置あるいは重機を用いて行ってもよい。
【００３１】
次に、図８（Ｂ）に示すように、透水層４の上側に基礎本体２を構築してから、基礎立上り３１の外側面に沿って土嚢材４Ａを積層する。一方、基礎本体２を構築する際に、連結手段６の芯材６１を基礎底版３２に貫通させておき、基礎本体２を構築してから芯材６１に上端定着材６３をセットし、さらに芯材６１にナット６４を螺合して上端定着材６３を固定する。このようにして基礎構造の構築が完了したら、基礎立上り３１の上に建物本体２を構築して建物１を完成させる。
【００３２】
本実施形態によれば、透水層４と杭体５とが連続して形成されているので、地震時に地盤Ｇが液状化して地下水が上昇した場合であっても、杭体５内部を通して透水層４へ地下水を送って地表ＧＬに排水することができる。従って、地下水による過大な浮力が基礎本体３に作用することを防止して、不均一な浮力による建物１の傾きを抑制することができるとともに、地盤Ｇ中に地下水が滞留することがなく、その腐敗や劣化を防止することができる。また、透水性を有した袋５Ａに粒状物５Ｂを詰めて杭体５が構成され、透水性を有した土嚢材４Ａを積層して透水層４が構成されているので、杭体５及び透水層４の透水性を確保して地下水をより確実に排水することができる。さらに、袋５Ａの内部に粒状物５Ｂを詰めて杭体５が構築できるので、安価かつ容易な施工手順で杭体５を構築することができ、施工コストの抑制と工期短縮とを図ることができる。さらに、連結手段６によって杭体５と基礎本体３とが連結されているので、建物本体２や基礎本体３に作用する上向きの荷重に対し、杭体５の引き抜き抵抗力によって基礎の浮き上がりや転倒を防止することができる。
【００３３】
また、地震時に液状化して軟弱化した地盤に過大なせん断変位が生じた場合であっても、袋５Ａで粒状物５Ｂが拘束されるとともにリング部材５１で拘束された杭体５が地盤の変位に追従することができ、杭体５の破損を防止することができる。さらに、杭体５の施工時において、所定高さごとに粒状物５Ｂを締め固め、リング部材５１を設置することで、袋５Ａ及びリング部材５１による粒状物５Ｂの拘束度を高めて、地震時における杭体５の変形追従性を向上させることができるとともに、地震後に初期状態へ復帰しやすくして杭体５の鉛直支持力を確保することができる。さらに、地盤Ｇが液状化した場合であっても、杭体５自体の形状が保持されるとともに、杭体５が錘として振り子のように地盤Ｇ中で揺れた後に、初期位置に復元して鉛直支持力を維持することができる。また、地震時に透水層４がせん断変形することで、地盤Ｇからの地震動を建物１に伝達しにくくして、建物１の揺れを抑制させる免震効果を得ることができ、建物１の耐震性能を向上させることができる。さらに、透水層４によって地盤Ｇの振動が建物１に伝達しにくくなることから、交通振動などの伝達を抑制して居住性を向上させることができる。
【００３４】
なお、前述した実施形態は本発明の代表的な形態を示したに過ぎず、本発明は、実施形態に限定されるものではない。即ち、本発明の骨子を逸脱しない範囲で種々変形して実施することができる。
【００３５】
例えば、前記実施形態では、基礎本体３が基礎立上り３１と基礎底版３２とを有したべた基礎形式のものであったが、基礎本体としては、独立基礎形式や布基礎形式のものでもよい。また、前記実施形態では、透水層４が基礎本体３の全体と地盤Ｇとの間に設けられていたが、これに限らず、基礎本体の平面内において部分的に設けられていてもよく、その場合には部分的に設けた透水層に杭体が連続して設けられていればよい。また、前記実施形態では、杭体５の袋５Ａ、土嚢材４Ａの土嚢袋をポリエチレン製等の織布で構成したが、袋の材質等は特に限定されず、透水性を有したものであればよい。さらに、杭体５の粒状物５Ｂや土嚢材４Ａの粒状物に関しても、ガラス片やガラス粒等で構成されるものに限らず、砕石や樹脂製粒状物などの任意の材料を利用することが可能である。
【符号の説明】
【００３６】
１      建物
２      建物本体（上部構造）
３      基礎本体
４      透水層
４Ａ    土嚢材
５      杭体
５Ａ    袋
５Ｂ    粒状物
６      連結手段
７      弾性部材
５１    リング部材
６１    芯材
６２    先端定着材
６３    上端定着材
【図１】
2014077307.tif 000003
【図２】
2014077307.tif 000004
【図３】
2014077307.tif 000005
【図４】
2014077307.tif 000006
【図５】
2014077307.tif 000007
【図６】
2014077307.tif 000008
【図７】
2014077307.tif 000009
【図８】
2014077307.tif 000010